(57)【要約】      （修正有）【課題】調理用器具等を衛生状態を良好に保ちつつ簡単に取付けおよび取外し可能な物品の取付具を提供する。【解決手段】物品の取付具１が、物品を取付けるための物品取付手段を有する物品取付部２、および、被取付部に取付けるための壁面取付手段を有する壁面取付部３を備え、物品取付部２が壁面取付部３に対して前方Ｆに突出している構成とした。【選択図】図１
0003217307.tif 000002
【実用新案登録請求の範囲】
【請求項１】
物品を取付けるための物品取付手段を有する物品取付部、および、
被取付部に取付けるための壁面取付手段を有する壁面取付部を備え、
前記物品取付部が前記壁面取付部に対して前方に突出している物品の取付具。
【請求項２】
前記壁面取付部から屈曲して設けられる連結部を備え、前記連結部が前記壁面取付部とは反対側の他端でさらに屈曲し、前記連結部に連続して前記物品取付部が設けられることで、
前記物品取付部が前記壁面取付部に対して前方に突出している請求項１に記載の物品の取付具。
【請求項３】
前記壁面取付部が平面な壁面取付面を有し、
前記連結部は、前記壁面取付部から連続して設けられ、前記壁面取付部の一端である第１屈曲部において前方に向けて略直角に谷折りされ屈曲し、続けて前方に向かって水平に延び、前記連結部の他端である第２屈曲部において横方向に山折りされ屈曲し、
前記物品取付部は前記連結部から続いて横方向に延び、前記壁面取付面に平行な物品取付面を有し、
前記壁面取付部および前記連結部は、前記物品取付部の横方向の両側にそれぞれ同様の構造で設けられる請求項２に記載の物品の取付具。
【請求項４】
前記物品取付部および前記壁面取付部がそれぞれ略長方形の形状を有し、前記物品取付部の上下方向の第１上下幅よりも前記壁面取付部の上下方向の第２上下幅が大きい請求項１〜３のいずれか１項に記載の物品の取付具。
【請求項５】
前記物品取付手段が少なくとも１つの第１磁石を含み、前記壁面取付手段が少なくとも１つの第２磁石を含む請求項１〜４の何れか１項に記載の物品の取付具。
【請求項６】
前記物品取付手段の前記第１磁石と前記壁面取付手段の前記第２磁石とが同形の略長方形の磁石であり、当該磁石を、前記第１磁石として使用する場合は前記磁石の長手方向を横方向に向けて横向きに配置し、前記第２磁石として使用する場合は前記磁石の長手方向を上下方向に向けて縦向きに配置することで、前記物品取付部の上下方向の前記第１上下幅よりも前記壁面取付部の上下方向の前記第２上下幅が大きい構成とする請求項５に記載の物品の取付具。
【請求項７】
強磁性の金属材料を含み前記物品取付手段の前記第１磁石を覆う物品取付部カバー、および／または、強磁性の金属材料を含み前記壁面取付手段の前記第２磁石を覆う壁面取付部カバーをさらに備える請求項５または６に記載の物品の取付具。
【考案の詳細な説明】
【技術分野】
【０００１】
本考案は例えば調理用器具等を吸着保持して保管するための物品の取付具に関する。
【０００２】
従来、レードル、スキンマー、フライ返し、包丁、栓抜き、缶切り、皮むき等の調理用器具や、ドライバースパナ、プライヤー等の工具を磁石の吸着力を利用して吊下および取外しができる物品の取付具が提案されている。例えば特許文献１では、細長いマグネット板の上下端面に鉄製等の通磁性板を当接し、この通磁性板の前後端部をマグネット板の前後面より少し突出してハンガー体を形成する調理用器具等の小物ハンガーが開示されている。
【先行技術文献】
【特許文献】
【０００３】
【特許文献１】実開昭５７−１４１５７７号公報
【考案の開示】
【考案が解決しようとする課題】
【０００４】
特許文献１の小物ハンガーでは、磁石の前後方向の厚さは、コストの面等から厚くすることは好ましくない。したがって、調理用器具等が吸着保持される小物ハンガーの表面と、小物ハンガーが取付けられる壁面との間が狭いので、例えば、柄部の根元がくびれていて、持ち手部よりも半球部の一部が後方に突出しているお玉等は、半球部が壁面に当たり、吸着保持できない場合がある。また、吸着保持できたとしても、半球部が壁面に当接した状態であると、菌等が繁殖しやすくなり、衛生的でない。
【０００５】
特許文献１の小物ハンガーでは、通磁性板をマグネット板にビス止めしているので、組立に工数がかかり、分解するのにも手間がかかる。
【０００６】
特許文献１の小物ハンガーでは、長手方向全体に磁石が設けられているので、小物ハンガーの壁面への吸着力が強い反面、特に小物ハンガーが横方向に長い場合、小物ハンガーを壁面から取り外しにくい。
【０００７】
本考案は、上記問題点を解決するものであり、調理用器具等を衛生状態を良好に保ちつつ簡単に取付けおよび取外し可能な物品の取付具を提供することを目的とする。
【課題を解決するための手段】
【０００８】
請求項１の考案は、物品の取付具が、物品を取付けるための物品取付手段を有する物品取付部、および、被取付部に取付けるための壁面取付手段を有する壁面取付部を備え、前記物品取付部が前記壁面取付部に対して前方に突出していることを特徴とする。
【０００９】
請求項１の構成によれば、調理用器具等を衛生状態を良好に保ちながら保持して保管することができる
【００１０】
請求項２の考案は、物品の取付具が、前記壁面取付部から屈曲して設けられる連結部を備え、前記連結部が前記壁面取付部とは反対側の他端でさらに屈曲し、前記連結部に連続して前記物品取付部が設けられることで、前記物品取付部が前記壁面取付部に対して前方に突出していることを特徴とする。
【００１１】
請求項２の構成によれば、単純な構成で物品取付部が壁面取付部に対して前方に突出している物品の取付具を実現することができる。
【００１２】
請求項３の考案は、前記壁面取付部が平面な壁面取付面を有し、前記連結部は、前記壁面取付部から連続して設けられ、前記壁面取付部の一端である第１屈曲部において前方に向けて略直角に谷折りされ屈曲し、続けて前方に向かって水平に延び、前記連結部の他端である第２屈曲部において横方向に山折りされ屈曲し、前記物品取付部は前記連結部から続いて横方向に延び、前記壁面取付面に平行な物品取付面を有し、前記壁面取付部および前記連結部は、前記物品取付部の横方向の両側にそれぞれ同様の構造で設けられることを特徴とする。
【００１３】
請求項３の構成によれば、構造が単純であるため、製造組立が容易となり、製造コストを低減できる。
【００１４】
請求項４の考案は、前記物品取付部および前記壁面取付部がそれぞれ略長方形の形状を有し、前記物品取付部の上下方向の第１上下幅よりも前記壁面取付部の上下方向の第２上下幅が大きいことを特徴とする。
【００１５】
請求項４の構成によれば、物品の取付具を壁面等に取付けたときに、壁面取付部がしっかり壁面等に吸着保持されるため、物品の取付具がぐらつかず、お玉等の取付けおよび取り外しの際にも、物品の取付具が安定して固定される。
【００１６】
請求項５の考案は、前記物品取付手段が少なくとも１つの第１磁石を含み、前記壁面取付手段が少なくとも１つの第２磁石を含むことを特徴とする。
【００１７】
請求項５の構成によれば、物品取付部からお玉等を取り外す際には、第１磁石の磁力に抗して引くだけで容易に取り外すことができる。物品の取付具を壁面等から取り外す際には、第２磁石の磁力に抗して引くだけで容易に取り外すことができる。
【００１８】
請求項６の考案は、前記物品取付手段の前記第１磁石と前記壁面取付手段の前記第２磁石とが同形の略長方形の磁石であり、当該磁石を、前記第１磁石として使用する場合は前記磁石の長手方向を横方向に向けて横向きに配置し、前記第２磁石として使用する場合は前記磁石の長手方向を上下方向に向けて縦向きに配置することで、前記物品取付部の上下方向の前記第１上下幅よりも前記壁面取付部の上下方向の前記第２上下幅が大きい構成とすることを特徴とする。
【００１９】
請求項６の構成によれば、物品取付部の上下方向の第１上下幅よりも壁面取付部の上下方向の第２上下幅が大きい上記構成の取付具本体においても、１種類の磁石で物品取付手段および壁面取付手段を実現することができる。
【００２０】
請求項７の考案は、物品の取付具が、強磁性の金属材料を含み前記物品取付手段の前記第１磁石を覆う物品取付部カバー、および／または、強磁性の金属材料を含み前記壁面取付手段の前記第２磁石を覆う壁面取付部カバーをさらに備えることを特徴とする。
【００２１】
請求項７の構成によれば、第１磁石および第２磁石を外見上隠すことができ、また第１磁石および第２磁石を保護することができる。さらに物品取付部カバーおよび壁面取付部カバーを強磁性の金属材料を含むものとすることで、両カバーがそれぞれ第１磁石および第２磁石に吸着保持されるので、ビス止めや接着剤等による接着が不要となる。
【考案の効果】
【００２２】
本考案では、調理用器具等を衛生状態を保ちつつ簡単に取付けおよび取外しでき、壁面への取付け強度を保ちつつ壁面への取付けおよび取外しも容易な物品の取付具を提供することができる。
【図面の簡単な説明】
【００２３】
【図１】本考案の実施の形態に係る物品の取付具を示す前方斜視図である。
【図２】同上、物品の取付具を示す後方斜視図である。
【図３】同上、物品の取付具の使用例を示す斜視図である。
【図４】同上、物品の取付具を示す上面図である。
【図５】同上、物品の取付具を示す右側面図である。
【図６】同上、物品の取付具の分解図である。
【考案を実施するための形態】
【００２４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００２５】
図１は本考案の実施の形態に係る物品の取付具１を示す前方斜視図である。図２は本考案の実施の形態に係る物品の取付具１を示す後方斜視図である。図３は本考案の実施の形態に係る物品の取付具１の使用例を示す斜視図である。物品の取付具１は、物品を取付けるための物品取付手段４を有する物品取付部２、および、壁面等の被取付部10に取付けるための壁面取付手段５を有する壁面取付部３を備える。
【００２６】
物品取付部２には、図３に示すように、例えば鉄製または１８−０ステンレス製のお玉11や穴開きお玉12、泡立て器13、フライ返し14等の調理用器具が掛けられる。物品取付手段４および壁面取付手段５は、例えば、図６に示す第１磁石６および第２磁石７のように磁石を用いて実現されることができる。磁石を用いることで、上記調理用器具を吸着保持して容易に取付けおよび取外しが可能となるとともに、壁面等の被取付部10への取付けおよび取外しも容易となる。また、物品の取付具１の取付けおよび取外しの際に、壁面等の被取付部10を傷めたりすることがない。
【００２７】
本実施の形態において、「横方向」とは、水平方向であって、物品取付部２の長手方向に平行な方向をいう。図１に示す「Ｌ」が左方向であり、「Ｒ」が右方向である。本実施の形態において、「上下方向」とは、横方向に垂直な方向であって、地面に垂直な方向をいう。図１に示す「Ｕ」が上方向であり、「Ｄ」が下方向である。本実施の形態において、「前後方向」とは、横方向および上下方向に垂直な方向をいう。図１に示す「Ｆ」が前方であり、「Ｂ」が後方である。
【００２８】
例えば図３に示すお玉11は、柄部15の根元16が後方にくびれていて、持ち手部17よりも半球部18の一部が後方に突出している。これに対し、本実施の形態の物品の取付具１は、物品取付部２が壁面取付部３に対して前方Ｆに突出しているので、物品の取付具１が壁面等の被取付部10に取付けられた際に、半球部18が壁面等の被取付部10に当接することなく、菌等の繁殖を防ぎ、衛生状態を良好に保つことができる。
【００２９】
物品取付部２が壁面取付部３に対して前方Ｆに突出している構成を実現するために、本実施の形態の物品の取付具１は、図４に示すように、壁面取付部３から屈曲して設けられる連結部８を備え、連結部８が壁面取付部３とは反対側の他端21でさらに屈曲し、連結部８に連続して物品取付部２が設けられる。
【００３０】
図１〜図３に加えて図４を参照して上記構成の一例を詳述する。壁面取付部３は、平面な壁面取付面33を有する。壁面取付部３から続く連結部８は、壁面取付部３の一端20である第１屈曲部22において、前方Ｆに向けて略直角に谷折りされ屈曲する。連結部８は前方Ｆに向かって水平に延び、連結部８の他端21である第２屈曲部23において、横方向に山折りされ屈曲する。連結部８から続く物品取付部２は、横方向に延び、壁面取付面33に平行な物品取付面32を有する。壁面取付部３および連結部８は、物品取付部２の横方向の両側にそれぞれ同様の構造で設けられる。こうして、物品取付部２が壁面取付部３に対して前方Ｆに突出している。
【００３１】
図１〜図４に示すように、物品取付部２および壁面取付部３はそれぞれ略長方形の形状を有する。同図では、物品取付部２および壁面取付部３はともに横長に形成されている。図５は、本考案の実施の形態に係る物品の取付具１を右横方向からみた右側面図である。物品取付部２の上下方向の第１上下幅Ｗ１よりも壁面取付部３の上下方向の第２上下幅Ｗ２が大きく形成されている。これにより、物品の取付具１を壁面等の被取付部10に取付けたときに、壁面取付部３がしっかり壁面等の被取付部10に吸着保持されるため、物品の取付具１がぐらつかず、お玉11等の取付けおよび取り外しの際にも、物品の取付具１が安定して固定される。一方、物品の取付具１を壁面等の被取付部10から引き離す際には、物品取付部２を掴んで引くことができるので、壁面取付部３がしっかり壁面等の被取付部10に吸着保持されていても、物品の取付具１を引き離す方向である前方Ｆの方向に力を加えやすく、物品の取付具１を容易に取り外すことができる。
【００３２】
図６は本考案の実施の形態に係る物品の取付具の分解図である。物品取付手段４は少なくとも１つの第１磁石６を含む。同図では、同じ形状および大きさの第１磁石６が６つ横方向に並べて設けられている。第１磁石６の形状や大きさ、個数、並べ方はこれに限定されるものではない。第１磁石６は略長方形状の永久磁石を使用できる。物品取付部２からお玉11等を取り外す際には、第１磁石６の磁力に抗して引くだけで容易に取り外すことができる。
【００３３】
壁面取付手段５は少なくとも１つの第２磁石７を含む。図６では、同じ形状および大きさの第２磁石７が２つ横方向に並べて設けられている。第２磁石７の形状や大きさ、個数、並べ方はこれに限定されるものではない。第２磁石７は略長方形状の永久磁石を使用できる。物品の取付具１を壁面等の被取付部10から取り外す際には、第２磁石７の磁力に抗して引くだけで容易に取り外すことができる。
【００３４】
物品取付手段４の第１磁石６と壁面取付手段５の第２磁石７とは、同形の磁石とすることができる。例えば、同形の磁石を、第１磁石６として使用する場合は磁石の長手方向を横方向に向けて横向きに配置し、第２磁石７として使用する場合は磁石の長手方向を上下方向に向けて縦向きに配置することで、物品取付部２の上下方向の第１上下幅Ｗ１よりも壁面取付部３の上下方向の第２上下幅Ｗ２が大きい上記構成の取付具本体９においても、１種類の磁石で物品取付手段４および壁面取付手段５を実現することができる。
【００３５】
物品取付部２は、強磁性の金属材料を含み物品取付手段４の第１磁石６を覆う物品取付部カバー40を備える。壁面取付部３は、強磁性の金属材料を含み壁面取付手段５の第２磁石７を覆う壁面取付部カバー43を備える。物品取付部カバー40は、両端に折曲部41を有し、折曲部41の内側面42が、両端に配置された第１磁石６の側面25に当接するようにして第１磁石６を覆う。第１磁石６の上面29は、前方Ｆに向かって山折りに折り曲げられた物品取付部２の折曲部47により覆われる。壁面取付部カバー43は、両端に折曲部44を有し、折曲部44の内側面45が、両端に配置された第２磁石７の側面28に当接するようにして第２磁石７を覆う。第２磁石７の上面29は、後方Ｂに向かって山折りに折り曲げられた壁面取付部３の折曲部48により覆われる。これにより、第１磁石６および第２磁石７を外見上隠すことができ、また第１磁石６および第２磁石７を保護することができる。
【００３６】
さらに、物品取付部カバー40の表面46に化粧を施すなどして、美的外観を向上することができる。例えば、物品取付部カバー40の表面46の化粧を、お玉11等の例えば柄部15の模様や色彩等と一体感を持たせるなどして、お玉11等を取付けた状態での美的外観をさらに向上させることができる。
【００３７】
物品取付部カバー40が装着された状態で、物品取付面32が物品取付部２の折曲部47の先端49（図５を参照）よりも後方Ｂに位置すると、お玉11等の調理用器具は、物品取付部２の折曲部47の先端49に当接して吸着される。物品取付面32が物品取付部２の折曲部47の先端49と同一面上に位置すると、お玉11等の調理用器具は、物品取付面32および物品取付部２の折曲部47の先端49の両方に当接して吸着される。物品取付面32が物品取付部２の折曲部47の先端49よりも前方Ｆに位置すると、お玉11等の調理用器具は、物品取付面32に当接して吸着される。
【００３８】
壁面取付部カバー43が装着された状態で、壁面取付面33が壁面取付部３の折曲部48の先端50（図５を参照）よりも前方Ｆに位置すると、壁面取付部３の折曲部48の先端50が壁面等の被取付部10に当接して取付けられる。壁面取付面33が壁面取付部３の折曲部48の先端50と同一面上に位置すると、壁面取付面33および壁面取付部３の折曲部48の先端50の両方が壁面等の被取付部10に当接して取付けられる。壁面取付面33が壁面取付部３の折曲部48の先端50よりも後方Ｂに位置すると、壁面取付面33が壁面等の被取付部10に当接して取付けられる。
【００３９】
物品取付部カバー40および壁面取付部カバー43を強磁性の金属材料を含むものとすることで、両カバー40，43がそれぞれ第１磁石６および第２磁石７に吸着保持されるので、ビス止めや接着剤等による接着が不要となる。このように、構造が簡単であるため、組立も容易となり、製造コストを低減できる。さらに、物品の取付具１を分解して掃除等することも容易となり、衛生的に使用することができる。
【００４０】
取付具本体９も物品取付部カバー40および壁面取付部カバー43と同様に、強磁性の金属材料を含むようにすることができ、例えば、鉄製または１８−０ステンレス製とすることができる。取付具本体９を強磁性の材料を含むようにすることにより、第１磁石６および第２磁石７が取付具本体９に吸着して確実に固定されるので、第１磁石６および第２磁石７が脱落するのを防止することができる。
【００４１】
本実施の形態では、請求項１に対応して、物品の取付具１が、物品を取付けるための物品取付手段４を有する物品取付部２、および、被取付部10に取付けるための壁面取付手段５を有する壁面取付部３を備え、物品取付部２が壁面取付部３に対して前方Ｆに突出しているから、調理用器具等を衛生状態を良好に保ちながら保持して保管することができる。
【００４２】
本実施の形態では、請求項２に対応して、物品の取付具１が、壁面取付部３から屈曲して設けられる連結部８を備え、連結部８が壁面取付部３とは反対側の他端21でさらに屈曲し、連結部８に連続して物品取付部２が設けられることで、物品取付部２が壁面取付部３に対して前方Ｆに突出しているから、単純な構成で物品取付部２が壁面取付部３に対して前方Ｆに突出している物品の取付具１を実現することができる。
【００４３】
本実施の形態では、請求項３に対応して、壁面取付部３が平面な壁面取付面33を有し、連結部８は、壁面取付部３から連続して設けられ、壁面取付部３の一端20である第１屈曲部22において前方Ｆに向けて略直角に谷折りされ屈曲し、続けて前方Ｆに向かって水平に延び、連結部８の他端21である第２屈曲部23において横方向に山折りされ屈曲し、物品取付部２は連結部８から続いて横方向に延び、壁面取付面33に平行な物品取付面32を有し、壁面取付部３および連結部８は、物品取付部２の横方向の両側にそれぞれ同様の構造で設けられるから、構造が単純であるため、製造組立が容易となり、製造コストを低減できる。
【００４４】
本実施の形態では、請求項４に対応して、物品取付部２および壁面取付部３がそれぞれ略長方形の形状を有し、物品取付部２の上下方向の第１上下幅Ｗ１よりも壁面取付部３の上下方向の第２上下幅Ｗ２が大きいから、物品の取付具１を壁面等の被取付部10に取付けたときに、壁面取付部３がしっかり壁面等の被取付部10に吸着保持されるため、物品の取付具１がぐらつかず、お玉11等の取付けおよび取り外しの際にも、物品の取付具１が安定して固定されることができる。
【００４５】
本実施の形態では、請求項５に対応して、物品取付手段４が少なくとも１つの第１磁石６を含み、壁面取付手段５が少なくとも１つの第２磁石７を含むから、物品取付部２からお玉11等を取り外す際には、第１磁石６の磁力に抗して引くだけで容易に取り外すことができる。物品の取付具１を壁面等の被取付部10から取り外す際には、第２磁石７の磁力に抗して引くだけで容易に取り外すことができる。
【００４６】
本実施の形態では、請求項６に対応して、物品取付手段４の第１磁石６と壁面取付手段３の第２磁石７とが同形の略長方形の磁石であり、当該磁石を、第１磁石６として使用する場合は磁石の長手方向を横方向に向けて横向きに配置し、第２磁石７として使用する場合は磁石の長手方向を上下方向に向けて縦向きに配置することで、物品取付部２の上下方向の第１上下幅Ｗ１よりも壁面取付部３の上下方向の第２上下幅Ｗ２が大きい構成とするから、物品取付部２の上下方向の第１上下幅Ｗ１よりも壁面取付部３の上下方向の第２上下幅Ｗ２が大きい上記構成の取付具本体９においても、１種類の磁石で物品取付手段４および壁面取付手段５を実現することができる。
【００４７】
本実施の形態では、請求項７に対応して、物品の取付具１が、強磁性の金属材料を含み物品取付手段４の第１磁石６を覆う物品取付部カバー40、および／または、強磁性の金属材料を含み壁面取付手段５の第２磁石７を覆う壁面取付部カバー43をさらに備えるから、第１磁石６および第２磁石７を外見上隠すことができ、また第１磁石６および第２磁石７を保護することができる。さらに物品取付部カバー40および壁面取付部カバー43を強磁性の金属材料を含むものとすることで、両カバー40，43がそれぞれ第１磁石６および第２磁石７に吸着保持されるので、ビス止めや接着剤等による接着が不要となる。
【００４８】
本考案は、前記実施の形態に限定されるものではなく、本考案の要旨の範囲内で種々の変形実施が可能である。例えば、本実施の形態では、第１屈曲部22を谷折りとしたが、第１屈曲部22を山折りとし、第２屈曲部23も山折りとすることで、壁面取付部３を物品取付部２の内側に形成することができる。これにより、物品の取付具１全体の横方向の長さが短くなり、物品取付部２の長さを変えることなく、コンパクトに壁面等の被取付部10に取付可能な物品の取付具１とすることができる。また、本実施の形態では物品取付部２の物品取付面32を平面状としたが、アーチ状に湾曲させるようにしてもよい。請求項１〜４では、物品取付手段４はお玉11等の調理用器具を保持できれば磁石に限定されず、例えば繰返し調理用器具を脱着可能な粘着質の材料を使用したり、調理用器具を引掛けて保持するフック等を設けてもよい。請求項１〜４では、壁面取付手段５は壁面等の被取付部10に取付けられれば磁石に限定されず、例えば粘着テープや接着剤等を使用してもよい。壁面取付部３が取付けられる箇所は、お玉11等の調理用器具を保持しても脱落しないような箇所であれば壁面に限定されない。本実施の形態では、物品取付部２の横方向の両側に設けられる壁面取付部３および連結部８は、左右でそれぞれ同様の構造を有するが、異なる構造とし、左右非対称の構造としてもよい。
【符号の説明】
【００４９】
１  物品の取付具
２  物品取付部
３  壁面取付部
４  物品取付手段
５  壁面取付手段
６  第１磁石
７  第２磁石
８  連結部
10  被取付部（壁面）
20  一端
21  他端
22  第１屈曲部
23  第２屈曲部
32  物品取付面
33  壁面取付面
40  物品取付部カバー
43  壁面取付部カバー
Ｆ  前方
Ｗ１  第１上下幅
Ｗ２  第２上下幅
【図１】
0003217307.tif 000003
【図２】
0003217307.tif 000004
【図３】
0003217307.tif 000005
【図４】
0003217307.tif 000006
【図５】
0003217307.tif 000007
【図６】
0003217307.tif 000008
【手続補正書】
【提出日】平成30年5月29日(2018.5.29)
【手続補正１】
【補正対象書類名】実用新案登録請求の範囲
【補正対象項目名】全文
【補正方法】変更
【補正の内容】
【実用新案登録請求の範囲】
【請求項１】
物品を取付けるための物品取付手段を有する物品取付部、および、
被取付部に取付けるための壁面取付手段を有する壁面取付部を備え、
前記物品取付部が前記壁面取付部に対して前方に突出している物品の取付具。
【請求項２】
前記壁面取付部から屈曲して設けられる連結部を備え、前記連結部が前記壁面取付部とは反対側の他端でさらに屈曲し、前記連結部に連続して前記物品取付部が設けられることで、
前記物品取付部が前記壁面取付部に対して前方に突出している請求項１に記載の物品の取付具。
【請求項３】
前記壁面取付部が平面な壁面取付面を有し、
前記連結部は、前記壁面取付部から連続して設けられ、前記壁面取付部の一端である第１屈曲部において前方に向けて略直角に谷折りされ屈曲し、続けて前方に向かって水平に延び、前記連結部の他端である第２屈曲部において横方向に山折りされ屈曲し、
前記物品取付部は前記連結部から続いて横方向に延び、前記壁面取付面に平行な物品取付面を有し、
前記壁面取付部および前記連結部は、前記物品取付部の横方向の両側にそれぞれ同様の構造で設けられる請求項２に記載の物品の取付具。
【請求項４】
前記物品取付部および前記壁面取付部がそれぞれ略長方形の形状を有し、前記物品取付部の上下方向の第１上下幅よりも前記壁面取付部の上下方向の第２上下幅が大きい請求項１〜３のいずれか１項に記載の物品の取付具。
【請求項５】
前記物品取付手段が少なくとも１つの第１磁石を含み、前記壁面取付手段が少なくとも１つの第２磁石を含む請求項１〜４の何れか１項に記載の物品の取付具。
【請求項６】
前記物品取付手段の前記第１磁石と前記壁面取付手段の前記第２磁石とが同形の略長方形の磁石であり、当該磁石を、前記第１磁石として使用する場合は前記磁石の長手方向を横方向に向けて横向きに配置し、前記第２磁石として使用する場合は前記磁石の長手方向を上下方向に向けて縦向きに配置することで、前記物品取付部の上下方向の第１上下幅よりも前記壁面取付部の上下方向の第２上下幅が大きい構成とする請求項５に記載の物品の取付具。
【請求項７】
強磁性の金属材料を含み前記物品取付手段の前記第１磁石を覆う物品取付部カバー、および／または、強磁性の金属材料を含み前記壁面取付手段の前記第２磁石を覆う壁面取付部カバーをさらに備える請求項５または６に記載の物品の取付具。
【手続補正２】
【補正対象書類名】明細書
【補正対象項目名】００１８
【補正方法】変更
【補正の内容】
【００１８】
請求項６の考案は、前記物品取付手段の前記第１磁石と前記壁面取付手段の前記第２磁石とが同形の略長方形の磁石であり、当該磁石を、前記第１磁石として使用する場合は前記磁石の長手方向を横方向に向けて横向きに配置し、前記第２磁石として使用する場合は前記磁石の長手方向を上下方向に向けて縦向きに配置することで、前記物品取付部の上下方向の第１上下幅よりも前記壁面取付部の上下方向の第２上下幅が大きい構成とすることを特徴とする。